(57)【特許請求の範囲】
【請求項１】
それぞれの中央部同士が、相互に重ねられて回動し得るように軸支された梳き刃体および切断刃体を有しており、その切断刃体には、先端部から中央部近傍にかけて、梳き刃体が重なり合う側縁に沿って切断刃先が連続的に形成されるとともに、前記梳き刃体には、切断刃先に全体にわたって重なるように、それぞれが切断刃体側に突出した複数の櫛歯状の梳き刃が、相互に適当な間隔をあけて設けられた理美容用梳き鋏であって、各梳き刃の先端部に設けられた刃先が、それぞれ全周にわたって円弧状に突出していることを特徴とする理美容用梳き鋏。
【発明の詳細な説明】
【０００１】
【発明の属する技術分野】
本発明は、毛髪の一部を梳くために使用される理美容用の梳き鋏に関し、特に、特殊な髪形にも対応できるように、梳かれる毛髪量が少なく、しかも、毛髪を傷めるおそれのない理美容用梳き鋏に関する。
【０００２】
【従来の技術】
理美容用の梳き鋏は、通常、長板状の梳き刃体および切断刃体を有している。梳き刃体および切断刃体は、それぞれの中央部同士が相互に重ねられた状態で、相互に回動し得るように、ピン等によって軸支されている。切断刃体には、一方の先端部から中央部近傍にかけて、一方の側縁部に沿って刃先が連続的に設けられている。また、梳き刃体には、切断刃体の刃先に順次重なり合うように、切断刃体側に突出する櫛刃状の梳き刃が、適当な間隔をあけて、一方の先端部から中央部近傍にかけて設けられている。
【０００３】
毛髪を梳く場合には、梳き刃体の各梳き刃と切断刃体の刃先との間に毛髪を配置して、各梳き刃と切断刃先とが相互に重ねられる。このとき、各梳き刃の先端部と切断刃先との間に位置する毛髪は切断されるものの、各梳き刃間に位置する毛髪は切断されず、従って、梳き刃体と切断刃体との間に配置された毛髪は、一部が梳かれることになる。
【０００４】
梳き刃体における各梳き刃の先端部の刃先は、例えば、実開平６−４８５７５号公報に開示されているように、Ｕ字状あるいはＶ字状に窪ませたり、実開平６−８１４６３号公報に開示されているように、円弧状に窪ませる構成とされる。また、実開平３−４９７６３号公報に開示されているように、各梳き刃の刃先を直線状に形成して、先端部の遠方側部分の一部をそれぞれ傾斜状態にカットすることも行われている。
【０００５】
【発明が解決しようとする課題】
梳き刃体に設けられた各梳き刃の先端部の刃先を、Ｕ字状、Ｖ字状、あるいは円弧状に窪ませた形状にすると、毛髪は、窪んだ部分に入り込んだ状態で拘束されるために、その窪んだ部分に入り込んだ毛髪は確実に切断される。従って、梳かれる毛髪量は、梳き刃体と切断刃体との間に配置された毛髪量の８％程度になる。最近では髪形も多様化しており、局所的にわずかな毛髪を梳くことも行われている。このような場合には、各梳き刃の先端部をＵ字状等に窪ませる構成では、梳かれる毛髪量が多く、所望の髪形にすることができないおそれがある。
【０００６】
また、梳き刃体に設けられた各梳き刃の刃先をそれぞれ傾斜状態にカットしておくと、各梳き刃における傾斜した部分と切断刃先との間の毛髪は、傾斜部分に沿ってスライドするために、切断されないおそれがある。しかしながら、各梳き刃の傾斜部分に沿ってスライドした毛髪は、傷ついているために、ブラッシングした際に切断されるおそれがある。従って所望の髪形にカットすることは容易ではない。
【０００７】
本発明は、このような問題を解決するものであり、その目的は、梳かれる毛髪量が少なく、しかも、毛髪を傷つけるおそれがないために、所望の髪形にも容易にカットすることができる理美容用梳き鋏を提供することにある。
【０００８】
【課題を解決するための手段】
本発明の理美容用梳き鋏は、それぞれの中央部同士が、相互に重ねられて回動し得るように軸支された梳き刃体および切断刃体を有しており、その切断刃体には、先端部から中央部近傍にかけて、梳き刃体が重なり合う側縁に沿って切断刃先が連続的に形成されるとともに、前記梳き刃体には、切断刃先に全体にわたって重なるように、それぞれが切断刃体側に突出した複数の櫛歯状の梳き刃が、相互に適当な間隔をあけて設けられた理美容用梳き鋏であって、各梳き刃の先端部に設けられた刃先が、それぞれ全周にわたって円弧状に突出していることを特徴とする。
【０００９】
【発明の実施の形態】
以下、本発明の実施の形態を、図面に基づいて詳細に説明する。
【００１０】
図１は、本発明の理美容用すき鋏の実施の形態の一例を示す平面図、図２は、その要部の拡大図である。この理美容用すき鋏は、長板状になった梳き刃体１０と、同じく長板状になった切断刃体２０とを有している。
【００１１】
梳き刃体１０および切断刃体２０は、それぞれの中央部同士が、相互に重ねられた状態で、ピン３０によって、回動可能に軸支されている。梳き刃体１０および切断刃体２０のそれぞれの基端部には、親指および薬指がそれぞれ挿入されるリング状の把持部１１および２１がそれぞれ設けられている。各把持部１１および２１同士は相互に接離するように操作され、各把持部１１および２１同士が当接した状態で、梳き刃体１０および切断刃体２０の先端部から軸支された中央部近傍にかけて、それぞれの側部同士が相互に重なり合った状態になる。
【００１２】
切断刃体２０には、先端部からピン３０の近傍にかけて、把持部１１および２１が相互に当接された際に梳き刃体１０に重なり合う側部における側縁部に沿って、切断刃先２３が連続的に設けられている。
【００１３】
また、梳き刃体２０には、切断刃先２３に重なり合うように、切断刃先２３側に向かって櫛歯状に突出する複数の梳き刃１３が、梳き刃体１０の先端部からピン３０の近傍にかけて、等しい間隔をあけて設けられている。各梳き刃１３は、ピン３０を中心とした同心円に沿って湾曲した状態になっており、３０本程度が設けられている。各梳き刃１３の切断刃体２０側へのそれぞれの突出量は、梳き刃体１０の先端部側が小さく、ピン３０の近傍になるにつれて、順次、大きくなっている。各梳き刃１３の先端部に設けられた刃先は、円弧状に突出した状態になっている。
【００１４】
切断刃先２３が設けられた切断刃体２０の側部と各梳き刃１３は、相互に重なり合う対向面が、それぞれ平坦に構成されており、各梳き刃１３と切断刃先２３とは相互に摺接するようになっている。
【００１５】
このような構成の梳き鋏は、毛髪の一部を梳く場合には、梳き刃体１０および切断刃体２０における各把持部１１および２１をそれぞれ相互に離隔させて、梳き刃体１０の各梳き刃１３と、切断刃体２０の切断刃先２３とを、相互に離隔させた状態とする。そして、両者の間に、梳くべき毛髪を配置して、各把持部１１および２１同士を相互に接近させ、梳き刃体１０の各梳き刃１３と切断刃体２０の切断刃先２３とを相互に重ね合わせる。これにより、梳き刃体１０の各梳き刃１３が、ピン３０に近接側から順番に、切断刃体２０の切断刃先２３に重なり合う。そして、各梳き刃１３の刃先が、切断刃先２３に重なり合う際に、両者の間に位置する毛髪が切断され、隣接する梳き刃１３の間に位置する毛髪は切断されず、適当な量の毛髪が梳かれる。
【００１６】
このとき、各梳き刃１３の先端部が、それぞれ円弧状に突出した状態になっているために、各梳き刃１３の刃先と切断刃体２０の切断刃先２３との間に位置する毛髪の一部は、切断されることなく、隣接する梳き刃１３間にスライドする。これにより、各梳き刃１３と切断刃先２３とが相互に重なることにより切断される毛髪量が少なくなる。
【００１７】
本発明の梳き鋏では、梳き刃体１０と切断刃体２０との間に配置された毛髪は、３％程度が切断されて梳かれるようになっている。これに対して、各梳き刃の先端がＵ字状に窪んだ従来の梳き鋏では、梳き刃体と切断刃体との間の毛髪は、８％程度にわたって梳かれるようになっている。従って、長く伸びた毛髪の一部のみを梳くような特殊な髪形であっても、容易に対応することができる。
【００１８】
また、梳き刃体１０における各梳き刃１３の刃先が円弧状に突出した状態になっているために、各梳き刃１３と切断刃体２０の切断刃先２３とによって切断される毛髪が傷つくおそれがなく、従って、ブラッシングした際に毛髪が切断されて髪形が変化するおそれがない。
【００１９】
【発明の効果】
本発明の理美容用梳き鋏は、このように、櫛歯状になった各梳き刃の刃先が円弧状に突出した状態になっているために、梳かれる毛髪量を少なくすることができ、特殊な髪形であっても、容易に対応することができる。
【図面の簡単な説明】
【図１】本発明の理美容梳き鋏の実施の形態の一例を示す平面図である。
【図２】その理美容梳き鋏の要部の拡大図である。
【符号の説明】
１０  梳き刃体
１１  把持部
１３  梳き刃
２０  切断刃体
２１  把持部
２３  切断刃先
【図１】
0003625594.tif 000002
【図２】
0003625594.tif 000003